(57)【要約】【課題】不本意に集塵ケースの蓋を開けてしまうことなく、清潔で使い勝手の良い集塵ケースを有する電気掃除機を提供する。【解決手段】電動送風機の吸込側と吸込具に連通して設けられ、掃除機本体から取り外し可能な集塵ケース１１を備え、蓋５３は、集塵ケース本体６２にヒンジで開閉可能に取付けられ、蓋５３が閉成状態でロックされ、集塵ケース１１を掃除機本体から取り外して傾斜させるとロックが解除されるロック手段を備え、ロック手段は、蓋５３の係合部に係合する係止爪を有する尾錠と、この尾錠の下方支持部に移動可能に載置されたボール５６と、このボール５６の移動をガイドするガイドレール６５ａを備える。【選択図】図９
2005052552.tif 000002
【特許請求の範囲】
【請求項１】
電動送風機の吸込側と吸込具に連通して設けられ、掃除機本体から取り外し可能な集塵ケースを備え、前記集塵ケースは前記吸込具に連通する吸込口と前記電動機の吸込側に開口部を有する集塵ケース本体と、前記開口部を開閉する蓋とを有する電気掃除機において、
前記蓋は、前記集塵ケース本体にヒンジで開閉可能に取付けられ、
前記蓋が閉成状態でロックされ、前記集塵ケースを前記掃除機本体から取り外して傾斜させるとロックが解除されるロック手段を備えたことを特徴とする電気掃除機。
【請求項２】
ロック手段は、蓋の係合部に係合する係止爪を有する尾錠と、
この尾錠の下方支持部に移動可能に載置されたボールと、
このボールの移動をガイドするガイド手段と、
を備え、前記蓋を閉成して水平状態のときは、前記ボールが前記尾錠の下部に当接して、前記尾錠をロックし、集塵ケースを蓋の開成する方向に傾けると前記ボールが前記ガイド手段に従って移動することを特徴とする請求項１記載の電気掃除機。
【請求項３】
ガイド手段は、尾錠の下方支持部に設けられた凹部と、
この凹部近傍に設けられ、傾斜したガイドレールと、を備えたことを特徴とする請求項２記載の電気掃除機。
【請求項４】
ガイド手段は、ボールに接続されたスプリングとしたことを特徴とする請求項２記載の電気掃除機。
【請求項５】
集塵ケース本体開口部の内側壁に電動送風機の吸引方向と略平行に設けられた少なくとも一つの第１のリブと、
この第１のリブに相対するように蓋に突設して設けられた少なくとも一つの第２のリブと、
を備えたことを特徴と請求項１〜４のいずれかに記載の電気掃除機。
【請求項６】
第１、第２のリブの頂部が接触するように設けたことを特徴とする請求項５記載の電気掃除機。
【請求項７】
集塵ケースには、被掃除面と略垂直方向に略円筒状に形成され塵埃を遠心分離する分離室と、
この分離室と連通し前記電動送風機の吸気側に連通する第１吸気部と、
前記分離室より第１吸気部へと向う含塵埃気流をろ過し、取り外し可能に設けられた円錐筒メッシュフィルター部と、
この円錐筒メッシュフィルター部に設けられ、前記分離室と前記電動送風機の吸気側に連通する前記第１吸気部とを遮断するパッキングＡ及び前記集塵ケースと外気を遮断するパッキングＢと、
前記分離室より遠心分離された塵埃を収容する塵埃収容室と、
この塵埃収容室に設けられ前記電動送風機の吸気側に連通する第２吸気部と、
吸込具から吸引され塵埃を含んだ空気流が前記分離室の壁の接線方向に流れ込むよう分離室の壁の接線上に形成され前記吸込具と前記分離室を連通する導入口と、
前記分離室と前記塵埃収容室を連通する連通口と、
を備え、
、前記第１吸気部と前記第２吸気部は、前記集塵ケースから着脱自在な同一の枠体に形成され、前記集塵ケースと電動送風機の吸気側との間に配置されたことを特徴と請求項１〜６のいずれかに記載の電気掃除機。
【請求項８】
円錐筒メッシュフィルター部に設けられたパッキングＡ及びＢにおけるシール面を分岐及び合流させて同一面としたことを特徴とする請求項７記載の電気掃除機。
【請求項９】
円錐筒メッシュフィルター部に設けられたパッキングＡ及びＢにおけるシール面方向を同一方向としかつ気圧がかかる方向と一致させたことを特徴とする請求項８記載の電気掃除機。
【発明の詳細な説明】
【技術分野】
【０００１】
この発明は、気掃除機及び吸気を旋回して塵埃を分離するサイクロン集塵部を有する電気掃除機に関する。
【背景技術】
【０００２】
従来の電気掃除機は、吸引風を発する電動送風機の前方かつ吸気上流側に塵埃を吸引する吸込具と連通する集塵ケースを設け、前記集塵ケースには、被掃除面と略垂直方向に略円筒状に形成され塵埃を遠心分離する分離室と、この分離室と連通し前記電動送風機の吸気側に連通する第１吸気部と、前記分離室より第１吸気部へと向う含塵埃気流をろ過するための略筒状またはテーパ状の円錐筒に巻かれたメッシュフィルターが設けられ、このメッシュフィルターに付着した塵埃を除去するために円筒形メッシュフィルターが取外し可能となっており、分離室と電動送風機の吸気側に連通する第１吸気部とを遮断するフィルターＡ及び集塵ケースと外気を遮断するフィルターＢがそれぞれ設けられ、また、集塵ケースにハンドルが設けられかつその近傍には集塵ケースの蓋を開けて塵埃を捨てるためのボタンまたはフック状のレバーが設けられている（例えば、特許文献１参照）。
【０００３】
【特許文献１】特許第３３６５４１０号公報
【発明の開示】
【発明が解決しようとする課題】
【０００４】
従来の電気掃除機では、集塵ケースを掃除機本体から取り外す際、誤って蓋を開けるためのボタンを押してしまうといった不具合があった。これにより不本意に蓋が開いてしまい、塵埃収容室に納まっていた塵が本体内部若しくは床面にこぼれてしまうといった問題があった。
【０００５】
この発明は、上述のような課題を解決するためになされたもので、不本意に集塵ケースの蓋を開けてしまうことなく、また、非衛生的な塵捨て作業を改善し、清潔で使い勝手の良い集塵ケースを有する電気掃除機を提供することを目的とする。
【課題を解決するための手段】
【０００６】
この発明に係る電気掃除機は、電動送風機の吸込側と吸込具に連通して設けられ、掃除機本体から取り外し可能な集塵ケースを備え、前記集塵ケースは前記吸込具に連通する吸込口と前記電動機の吸込側に開口部を有する集塵ケース本体と、前記開口部を開閉する蓋とを有する電気掃除機において、前記蓋は、前記集塵ケース本体にヒンジで開閉可能に取付けられ、前記蓋が閉成状態でロックされ、前記集塵ケースを前記掃除機本体から取り外して傾斜させるとロックが解除され、前記蓋を開成できるようにしたロック手段を備えたものである。
【発明の効果】
【０００７】
この発明によれば、蓋は、集塵ケース本体にヒンジで開閉可能に取付けられ、前記蓋が閉成状態でロックされ、前記集塵ケースを前記掃除機本体から取り外して傾斜させるとロックが解除され、前記蓋を開成できるようにしたロック手段を備えたので、不本意に集塵ケースの蓋を開けてしまうことなく、使い勝手をよくすることができ、また、非衛生的な塵捨て作業を改善することができる。
【発明を実施するための最良の形態】
【０００８】
実施の形態１．
図１はこの発明の実施の形態１を示す電気掃除機の外観図、図２は同電気掃除機のメンテナンスにおける使用状態を表した電気掃除機本体（以下本体と称す）概略斜視図、図３は集塵ケースを外した状態での掃除機本体の要部断面図、図４は同電気掃除機の本体の外観図、図５は集塵ケースの中央断面図、図６は側面寄りの断面図、図７は集塵ケースの上面中央断面図、図８は集塵ケースの背面図、図９は集塵ケースの断面図、図１０は集塵ケースのロック手段部分の分解斜視図、図１１、図１２は動作説明図である。
【０００９】
図１において、電気掃除機１は、吸込具３が延長管２に取り付けられ、手元ハンドル４とホース継ぎ手５付きのホース６とを介して本体７に連結されている。本体７は、１個の前輪キャスター８と一対の後輪９とを備えている。
【００１０】
図２〜図４において、本体７内前方に形成された凹部１０には集塵ケース１１が本体７の蓋６１を開いて取外し可能に装着される。本体７の凹部１０の後方には吸引風を生じさせる電動送風機１２等が内蔵されている。この電動送風機１２の吸入側は、開口１３を通じて空気吸入部１４に連通している。空気吸入部１４は、集塵ケース１１を載せた時、集塵ケース１１に当接する傾斜シール面１５で包囲されている。本体７後方には、排気フィルタ１６も備えており、この排気フィルター１６を通過して電動送風機１２からの排気は本体７機外へ放出され、さらにに本体７には制御部１７等の電気系統や、コード巻き取り装置(図示せず)等が内蔵されている。
【００１１】
本体７の底壁１９は凹部１０から立ち上がった前壁１８の略中央部にはホース継ぎ手５を着脱自在に接続する吸気口２０が設けられている。シールパッキン２１は吸気口２０の凹部１０側端面に取り付けられており、ここに、集塵ケース１１の吸気口２２が接続される。
【００１２】
図５〜６において、集塵ケース１１は、開口部を有する集塵ケース本体６２と蓋５３を備え、集塵ケース本体６２は導入口２２を通過した含塵気流を遠心分離する分離室２３、また、分離室２３で遠心分離された塵埃を蓄積するための塵埃収容室２４が形成されている。
【００１３】
集塵ケース本体６２の前部に形成した導入口２２は前記集塵ケース１１を本体７にセットした状態においては吸気口２０と同心上にある。また、分離室２３と塵埃収容室２４は連通口２５で連通しており、導入口２２から分離室２３へ流入する気流を旋回させて塵埃を遠心分離により連通口２５を通過して塵埃収容室２４に流入させている。
【００１４】
集塵ケース本体６２の上方には、図５に示すようにハンドル５０が形成されており、ハンドル５０の後部には、蓋５３を開けるためのボタン５１ｆを備え、ボタン５１ｆには爪５１ｂが延設されており、ボタン５１ｆはスプリング５２の付勢力を受けて蓋５３のヒンジ５３ａに係合する。
【００１５】
図７において、分離室２３内にほぼ同心状に位置するメッシュフィルター４２は、フィルター枠３９より一体に形成された略円筒状で周面に多数の通気開口Ａ４３を有するフレームＡ４４と、フレームＡ４４を分離室２３側から覆って細塵を濾過捕集するメッシュフィルターＡ４５とで構成され、複数の通気開口Ａ４３の全体で、分離室２３と電動送風機１２を連通する第１吸気部４６を形成する。また、前記円錐筒メッシュフィルター部４０は集塵ケース１１から取り外すことができ、メッシュフィルターＡ４５に付着した塵埃を除去する際に取り外すものである。
【００１６】
図８は蓋５３のフィルター４８を除いたものを示しており、分離室２３へ侵入した含塵空気がフィルター４２で塵埃が濾過された後、電動送風機１２に吸引されるときの第１吸気部４６と、塵埃収容室２４内に侵入し、不織布フィルター４８で塵埃を濾過された後、電動送風機１２に吸引されるときの第２吸気部４９が設けられている。
【００１７】
図９、図１０において、ロック手段は、ロック爪５１ｂ、ロック保持用のストッパー５１ａ、蓋５３を開けるためのボタン５１ｆ、ガイド穴５１ｃ及びガイド溝５１ｄを有する可動部と、尾錠５１をロック方向に付勢するスプリング５２と、集塵ケース本体６２上部の開口部近傍に設けられ、尾錠５１を可動自在に支持する可動部支持部と、ストッパー５１ａの係脱を行うストッパー係脱部と、ボタン５１ｆが挿入されるガイド穴５０ａを有し、尾錠５１のスプリング５２による付勢方向を押さえるとともに、尾錠５１、可動部支持部及びストッパー係脱部を収納するように集塵ケース本体６２上部に取り付けられるカバー５０ａと、蓋５３に設けられ、尾錠５１のロック爪５１ｂが係合されるヒンジ５３ａから構成される。なお、ストパー５１ａはボタン５１ｆと一体に形成され、ストッパー５１ａがボール５６を押す方向とボタン５１ｆを押す方向が略同軸上にあるようにする。また、凹部５８は集塵ケース１１をある程度まで傾けないとボール５６が移動できない程度の深さとする。また、カバー５０ａはハンドル５０の後部に設けられている。
【００１８】
可動部支持部は、尾錠５１のガイド穴５１ｃに挿入されるガイドバー６７、可動部材の一対のガイド溝５１ｄ、５１ｅに挿入される一対の尾錠用ガイドレール６５ｄ、６６及び突部に支持されたスプリング５２から構成される。
【００１９】
ストッパー係脱部は、ストッパー５１ａの下部方向に設けられた凹部５８、通常はこの凹部に保持されるボール５６、集塵ケース１１を傾けたときに、ボール５６が転がるガイドレール６５ａ、ボール５６とガイドレール６５ａを包囲する包囲板６５ｂから構成される。
【００２０】
ロック手段の組み立ては、尾錠５１をガイド穴５１ｃがガイド棒６７に、ガイド溝５１ｄ、５１ｅが尾錠用ガイドレール６５ｄ、６６に挿入し、また、スプリング５２をスプリング受け穴（図示せず）に挿入し、さらに、ボタン５１ｆをカバー５０ｂの穴５０ａに挿入し、ねじ６８でカバー５０ｂのネジ穴５０ｃを介して、集塵ケース本体２のカバー台６２ａに合わせて６２ガイド棒６７にネジ止めする。
【００２１】
次に、この発明の実施の形態１係る電気掃除の全体の動作について図１〜８により説明する。
まず、電動送風機１２を運転状態にすると、吸込具３から吸引された塵埃を含んだ空気流は延長管２とホース６を通って吸気口２０の中へ流入し、集塵ケース１１の導入口２２を通り、さらに蓋５３の方に向かって流れる。質量の重い砂ごみ等の塵粒は、遠心分離（遠心力）によって、また繊維質の質量の軽い塵埃は気流と一緒になって、連通口２５を通過して塵埃収容室２４に流入する。
【００２２】
分離室２３へ侵入する空気は分離室２３を形成する略円筒状の分離室壁２６の  接線方向に流れ込み、分離室壁２６の内面に沿って旋回渦流となり連通口２５に至る。そして分離室２３に入った塵埃は、上記旋回渦流によって発生する遠心力の作用を受け、分離室壁２６内面に沿って回転しながら連通口２５部より遠心力で飛ばされるようにして塵埃収容室２４内に入る。
【００２３】
上記旋回渦流の回転中心部分の空気には殆ど塵埃がない状態となっているが、分離室２３へ侵入した含塵空気の殆どは、フィルター４２で細かい塵埃を濾過された後、第１吸気部４６から電動送風機１２に吸引され、る残りの含塵気流は、塵埃収容室２４内に侵入し、不織布フィルター４８で塵埃を濾過された後、第２吸気部４９を通って電動送風機１２に吸引され、排気となって本体７機外へ排出される。
【００２４】
集塵ケース１１内部に溜まった塵埃等を廃棄する際には、本体７の蓋６１を開き、ハンドル５０を手で持って集塵ケース１１を持ち上げ、本体７の凹部１０から取り外す。次に、集塵ケース１１を蓋５３が開く方向に傾けてから、ボタン５１ｆを押して蓋５３を開放状態にする。なお、集塵ケース１１内に塵埃が付着していても、簡単に水洗いができ、衛生的に清掃できる。
【００２５】
次に、集塵ケース１１の蓋のロックについて図８〜１２により説明する。
集塵ケース１１が図９の状態（略水平状態）においては、ボール５６が凹部５８を乗り越えて移動しないので、ストッパー５１ａとボール５６が干渉して、スプリング５２の付勢力を受けているボタン５１ｆの爪５１ｂと蓋５３ヒンジ５３ａとは係合したままの状態となり、蓋５３を開けることができない。ところが、図１１のように集塵ケース１１を蓋５３が開く方向に傾けると、ボール５６が凹部５８を乗り越え、ボールガイド６５ａに移動し、スプリング５２の付勢力を受けているボタン５１ｆの爪５１ｂと蓋ヒンジ５３ａとが係合しなくなる位置まで、ボタン５１ｆを押すことができる。
【００２６】
なお、電気掃除機を使用する前に、本体７に集塵ケース１１をセットするとき、集塵ケース本体６２に蓋５３をするときは集塵ケースを傾けてロックを解除してから蓋５３を閉成する。
【００２７】
ここで図１２に示すように、集塵ケース１１の塵埃収容室２４内に溜まった塵埃をごみ箱等に捨てる際には、集塵ケースを蓋５３の開く方向に傾けるのが一般的であり、傾けることにより、蓋５３が開き、塵埃をごみ箱等に捨てることができる。
【００２８】
以上のように、集塵ケース１１が略水平状態のままでは、ボタン５１ｆが押せなく、蓋５３が開かないため、集塵ケース１１を掃除機本体７から取り外す際、誤って蓋５３を開けるためのボタン５１ｆを押しても不本意に蓋が開かないので、塵埃収容室２４に納まっていた塵埃が本体凹部１０内若しくは床面にこぼれてしまうといったことない。
【００２９】
なお、本実施の形態では、集塵ケース１１を傾けたときにロック手段のボール５６はガイドレール６５ａを移動する場合を示したが、図１３（ａ）に示すように、ボール５６の片側にスプリング７１を接続するか、図１３（ｂ）に示すように、ボール５６の両側にスプリング７１、７２を接続するか、または、図１３（ｃ）に示すように、ボール５６の方側にスプリング７２を接続して、ガイド筒７３を設け、ロック手段のボール５６の移動をガイドするようにしてもよい。
【００３０】
また、サイクロン集塵方式について示したが、図１４のような紙パック集塵方式にしてもよい。
【００３１】
実施の形態２．
図１５はこの発明の実施の形態２を示す電気掃除機の本体の断面図、図１６は図１５の要部断面図、図１７は集塵ケース本体の背面図、図１８は集塵ケースの背面の部分拡大図である。
図１５〜１８において、集塵ケース本体６２の内側壁にリブ２７を、また、蓋５３にリブ５３ｂを複数に電動送風機の吸引方向と略平行に配設し、かつ集塵ケースの内側壁及び蓋のリブ２７、５３の同士を各々の頂部（同軸上）で接触させる構成とした。
【００３２】
この構成により、本体７の吸引時に外気圧との差により集塵ケース１１全体に圧力がかかったとしてもリブ２７、５３ｂ同士が各々の頂部（同軸上）で接触し、突っ張ることでシール効果が上がり、かつ、補強の役目を果たすことで、外気より洩れが発生することがなくシール効果が向上して、吸込み性能を改善させることができる。
【００３３】
また、集塵ケース１１を実施の形態１の図１２のように傾けて蓋５３を開ける際に、リブ２７、５３ｂ同士が各々頂部（同軸上）で接触しているため、摩擦により蓋が開く初速度を抑制して、ゴミ捨て時の埃の舞上げが少なくなる。これに併せて、蓋５３のヒンジ５３ｃの根本に応力がかからないのでヒンジ５３ｃ部も壊れにくい。また、落下等による補強となり、電動送風機の吸引方向と略平行に配設しているので整流効果も生じる。
【００３４】
なお、本実施の形態では、集塵ケース本体６２の内側壁にリブ２７を、また、蓋５３にリブ５３ｂを各々複数設けたが、１個ずつとしてもよい。
【００３５】
実施の形態３．
図１９は円錐筒メッシュフィルター部を取り外した状態を示す斜視図、図２０は従来の円錐筒メッシュフィルター部の説明図で（ａ）は正面図、（ａ）は斜視図、図２１は円錐筒メッシュフィルター部を示す正面図、図２２は円錐筒メッシュフィルター部を示す斜視図、図２２は図２０及び図２１と比較した従来の円錐筒メッシュフィルター部を示す斜視図である。
【００３６】
図１９〜２２において、円錐筒メッシュフィルター部４０はメッシュフィルター４２に付着した塵埃を除去するため集塵ケースから取外しができるようになっている。従来の電気掃除機においては図２０に示すように、円錐筒メッシュフィルター部４０にパッキングシール４７が一周設けられおり、これは円錐筒メッシュフィルター部４０を集塵ケース１１から取外すための分割部分を外気よりシールするものである。また、分離室２３内面に接するようにパッキングシール５９も設けられており、これは円錐メッシュフィルター部４０に設けられている第１吸気部４６と分離室２２とを遮断するためのものである。しかし、これらの構造によると電気掃除機を使用中に本体内の真空度が上がってきた際に、分離室２３内の気圧と電動送風機の吸気側に連通する第１吸気部の気圧との差によりパッキング５９が第１吸気部４６側にめくれて含塵換気流の一部がダイレクトに第１吸気部４６に合流してしまい、本体全体の塵挨捕集率が損なわれる問題があった。
【００３７】
本実施の形態では、図２０において、円錐筒メッシュフィルター部４０に設けられている第１吸気部４６の周囲にはパッキングＡ４７ａとパッキングＢ４７ｂが、図１９に示す集塵ケースのシール面Ａ５５ａ及びシール面Ｂ５５ｂに対面接触するように設けられている。シール面Ａ５５ａとシール面Ｂ５５ｂ及びパッキングＡ、Ｂ４７ａと４７ｂはそれぞれ正接しておりシール面Ａ、Ｂ５５ａ、５５ｂ及びパッキングＡ、Ｂ４７ａ、４７ｂを分岐及び合流させて略同一面としている。これにより、成形及び組立てのバラツキが起こっても、分離室２３と電動送風機の吸気側に連通する第１吸気部４６とを遮断するシール面Ａ５５ａと集塵ケース１１と外気を遮断するシール面Ｂ５５ｂが略同一であることから、シール面のズレ等により生ずる気流のバイパス（漏れ）が起こらず、シール効果を損ねることがない。
【００３８】
また、シール面Ａ５５ａとシール面Ｂ５５ｂのシール面方向を同一方向とし、かつ、外気と集塵ケース１１の内圧との差により生ずる圧力が集塵ケース１１へとかかる方向に前記シール面を一致させたことで、円錐筒メッシュフィルター部４０による装着が不完全であってたとしても圧力により補正されて確実にシールが行える。さらに、従来のこの種の電機掃除機にあっては、分離室２３を旋回する含塵埃気流が第１吸気部４６より引き寄せられ分離室２３内壁と接するよう円錐筒メッシュフィルター部４０側面周に設けられたパッキング５９がめくれて、含塵埃気流の一部がダイレクトに第１吸気部４６に合流してしまい本体全体の塵埃捕集率が損なわれる問題があった。
【００３９】
しかし、本実施の形態においては実施の形態１の図８に示すように分離室２３と第１吸気部４６がシール面Ａ５５ａとパッキング４７ａとで遮断されており、かつ、外気と集塵ケース１１の内圧との差＞分離室から第１吸気部４６にかかる動圧であることから、円錐筒メッシュフィルター部４０は集塵ケース１１側へ常に圧力がかかった状態となり、このの構成により塵埃の捕集率とシールの確実性による吸塵性能の両立化を実現することができる。
【図面の簡単な説明】
【００４０】
【図１】この発明の実施の形態１を示す電気掃除機の外観図である。
【図２】この発明の実施の形態１を示す電気掃除機のメンテナンスにおける使用状態を表した本体概略斜視図である。
【図３】この発明の実施の形態１を示す電気掃除機の集塵ケースを外した状態での本体の要部断面図である。
【図４】この発明の実施の形態１を示す電気掃除機の本体の外観図である。
【図５】この発明の実施の形態１を示す電気掃除機の集塵ケースの側面中央断面図である。
【図６】この発明の実施の形態１を示す電気掃除機の集塵ケースの断面図である。
【図７】この発明の実施の形態１を示す電気掃除機の集塵ケースの上面中央断面図である。
【図８】この発明の実施の形態１を示す電気掃除機の集塵ケースの背面図である。
【図９】この発明の実施の形態１を示す電気掃除機の集塵ケースの断面図である。
【図１０】この発明の実施の形態１を示す電気掃除機のロック手段部分の分解斜視図である。
【図１１】この発明の実施の形態１を示す電気掃除機の集塵ケースを傾斜させたゴミ捨て状態の断面図である。
【図１２】この発明の実施の形態１を示す電気掃除機の集塵ケースを傾斜させたゴミ捨て状態斜視図である。
【図１３】この発明の実施の形態１を示す電気掃除機のロック手段部分の説明図である。
【図１４】この発明の実施の形態１を示す電気掃除機の集塵方式の説明図である。
【図１５】この発明の実施の形態２を示す電気掃除機の集塵ケースの断面図である。
【図１６】図１５の要部断面図である。
【図１７】この発明の実施の形態２を示す電気掃除機の集塵ケース本体の背面図である。
【図１８】この発明の実施の形態２を示す電気掃除機の集塵ケースの背面の部分拡大図である。
【図１９】この発明の実施の形態３を示す電気掃除機の集塵ケースの円錐筒メッシュフィルター部を取り外した状態を示す斜視図である。
【図２０】従来の円錐筒メッシュフィルター部を取り外した状態を示す斜視図である。
【図２１】この発明の実施の形態３を示す電気掃除機の集塵ケースの円錐筒メッシュフィルター部の正面図である。
【図２２】この発明の実施の形態３を示す電気掃除機の集塵ケースの円錐筒メッシュフィルター部の斜視図である。
【符号の説明】
【００４１】
１  電気掃除機、３  吸込具、７  掃除機本体、１０  凹部、１１  集塵ケース、１２  電動送風機、１３  開口、１４  空気吸入部、２０  吸気口、２１  本体シールパッキン、２２  集塵ケース導入口、２３  分離室、２４  塵埃収容室、２５  連通口、２７  内側壁リブ、２６  分離室壁、４０  円錐筒メッシュフィルター部、４２  メッシュフィルター、４３  通気開口Ａ、４４  フレームＡ、４５  メッシュフィルターＡ、４６  第１吸気部、４７  シールパッキング、４７ａ  シールパッキングＡ、４７ｂ  シールパッキングＢ、４８  不織布フィルター、４９  第２吸気部、５１  尾錠、５１ｆ  ボタン、５１ａ  ストッパー、５１ｂ  ボタン爪部、５２  スプリング、５３  蓋、５３ａ  蓋係合部、５３ｂ  蓋リブ、５３ｃ  蓋ヒンジ部、５４  蓋パッキング、５５Ａ  集塵ケースシール面ａ、５５Ｂ  集塵ケースシール面ｂ、５６  ボール、５８  凹部、５９  円錐筒メッシュフィルター側面パッキング、６５ａ  ガイドレール。
【図１】
2005052552.tif 000003
【図２】
2005052552.tif 000004
【図３】
2005052552.tif 000005
【図４】
2005052552.tif 000006
【図５】
2005052552.tif 000007
【図６】
2005052552.tif 000008
【図７】
2005052552.tif 000009
【図８】
2005052552.tif 000010
【図９】
2005052552.tif 000011
【図１０】
2005052552.tif 000012
【図１１】
2005052552.tif 000013
【図１２】
2005052552.tif 000014
【図１３】
2005052552.tif 000015
【図１４】
2005052552.tif 000016
【図１５】
2005052552.tif 000017
【図１６】
2005052552.tif 000018
【図１７】
2005052552.tif 000019
【図１８】
2005052552.tif 000020
【図１９】
2005052552.tif 000021
【図２０】
2005052552.tif 000022
【図２１】
2005052552.tif 000023
【図２２】
2005052552.tif 000024